(57)【要約】【課題】軽量であって防火性を有する天井板及びこの天井板を用いたシステム天井を提供する。【解決手段】本実施形態に係る天井板１は、厚さ方向に貫通する開口３１を複数有する支持体３と、不燃性シートからなる面材５とを含んでいることで、面材５が不燃性を有することで防火性を有すると共に、例えば開口３１の大きさをより大きくすることで支持体３を軽量化することができ、軽量であって防火性を有する天井板を得ることができる。【選択図】図１
2015048591.tif 000002
【特許請求の範囲】
【請求項１】
平板状であり、その厚さ方向に貫通する開口を複数有する支持体と、当該支持体の表面及び裏面に固定される不燃性シートからなる面材と、を含んで構成される天井板。
【請求項２】
前記不燃性シートは、無機繊維、含水無機化合物及び有機繊維を含有している不燃紙である請求項１記載の天井板。
【請求項３】
前記支持体は、当該支持体を厚さ方向に貫通する断面六角形状の開口が複数ハニカム状に配置されるように互いに結合されている請求項１又は２記載の天井板。
【請求項４】
前記支持体と前記面材とは同一の材料により構成されている請求項１〜３のいずれか一項に記載の天井板。
【請求項５】
天井スラブからの吊持手段により吊下げられ離間して並設される一対の天井枠材と、
前記一対の天井枠材の間に架設される請求項１〜４のいずれか一項に記載の天井板と、
を備えるシステム天井。
【発明の詳細な説明】
【技術分野】
【０００１】
本発明は、天井板及びこの天井板を用いたシステム天井に関する。
【背景技術】
【０００２】
従来から、建築物における防火性を高めるために、不燃性の材料を用いた天井板が知られている（例えば、特許文献１参照）。
【先行技術文献】
【特許文献】
【０００３】
【特許文献１】特開平６−２４０７９９号公報
【発明の概要】
【発明が解決しようとする課題】
【０００４】
しかしながら、近年では例えば地震等によって落下した場合でも被害を小さくすることが可能な天井板が望まれている。すなわち、防火性を有するだけではなく、軽量である天井板に対する要望が高まっている。
【０００５】
本発明は上記を鑑みてなされたものであり、軽量であって防火性を有する天井板及びこの天井板を用いたシステム天井の提供を目的とする。
【課題を解決するための手段】
【０００６】
上記目的を達成するため、本発明に係る天井板は、平板状であり、その厚さ方向に貫通する開口を複数有する支持体と、当該支持体の表面及び裏面に固定される不燃性シートからなる面材と、を含んで構成されることを特徴とする。
【０００７】
上記の天井板によれば、厚さ方向に貫通する開口を複数有する支持体と、不燃性シートからなる面材とを含んでいることで、面材が不燃性を有することで防火性を有すると共に、例えば開口の大きさをより大きくすることで支持体を軽量化することができ、軽量であって防火性を有する天井板を得ることができる。
【０００８】
ここで、前記不燃性シートは、無機繊維、含水無機化合物及び有機繊維を含有している不燃紙である態様とすることができる。
【０００９】
このように、面材を構成する不燃性シートが不燃紙であることにより、面材の軽量化が図られる。さらに不燃紙を用いることで、面材の加工が容易となり、例えば意匠性の高い天井板を得ることができる。
【００１０】
また、前記支持体は、当該支持体を厚さ方向に貫通する断面六角形状の開口が複数ハニカム状に配置されるように互いに結合されている態様とすることができる。
【００１１】
このように、支持体がハニカム状に配置された開口を備える形状であることで、支持体を構成する材料の剛性が低くても支持体としての形状を適切に維持することができ、天井板としての耐久性を高めることができる。
【００１２】
また、前記支持体と前記面材とは同一の材料により構成されている態様とすることができる。
【００１３】
上記のように、支持体が面材と同一の材料により構成されている場合、支持体の軽量化をより一層図ることができ、天井板としての軽量化を一層促進することができる。
【００１４】
また、本発明に係るシステム天井は、天井スラブからの吊持手段により吊下げられ離間して並設される一対の天井枠材と、前記一対の天井枠材の間に架設される請求項１〜４のいずれか一項に記載の天井板と、を備えることを特徴とする。
【００１５】
このように、面材が不燃性を有することで防火性を有すると共に、例えば開口の大きさをより大きくすることで支持体が軽量化された天井板を備えるシステム天井によれば、仮に何らかの振動によってシステム天井に架設された天井板が落下したとしても、下方への影響を少なくすることができる。
【発明の効果】
【００１６】
本発明によれば、軽量であって防火性を有する天井板及びこの天井板を用いたシステム天井が提供される。
【図面の簡単な説明】
【００１７】
【図１】本発明の実施形態に係る天井板を説明する概略斜視図である。
【図２】天井板の変形例を説明する概略斜視図である。
【図３】天井板を取り付けたシステム天井について説明する図である。
【発明を実施するための形態】
【００１８】
以下、添付図面を参照して、本発明を実施するための形態を詳細に説明する。なお、図面の説明においては同一要素には同一符号を付し、重複する説明を省略する。
【００１９】
図１は、本発明の実施形態に係る天井板を説明する部分断面斜視図である。本実施形態に係る天井板１は、主に公共施設等の防火及び耐震の機能を有する天井の設置が望まれる建築物に適用することができる。また、天井板１は、システム天井及び在来天井の双方に適用することができる、天井板１の大きさ（主面の広さ及び厚さ）は、設置場所の大きさに応じて変更される。天井板１は、平板状の支持体３と、支持体３の表裏に固定される不燃性シートからなる面材５と、を含んで構成される。
【００２０】
支持体３は、ＸＹ平面に沿って延在し平板状を呈している。この支持体３は、略六角柱状の開口３１を複数有している。開口３１は、それぞれが厚さ方向（Ｚ方向）に貫通する断面六角形状の開口であって、複数の開口３１がハニカム状（蜂の巣状）に配置されるように互いに結合されている。
【００２１】
上記の形状を有する支持体３は、開口３１を形成するための複数の帯状基材３３を含んで構成されている。帯状基材３３の厚さは例えば９ｍｍとすることができるが、形状を維持することができるのであれば、厚さは特に限定されない。帯状基材３３は、Ｙ方向に沿って互いに積層するように配置される。そして、帯状基材３３は、屈曲した形状をなしている。具体的には、Ｚ方向に沿って延びる凹凸部３４がＸ方向に沿って連続して複数設けられるように各帯状基材３３は屈曲されている。
【００２２】
そして、隣接する帯状基材３３Ａ，３３Ｂのうち、一の帯状基材３３Ａにおける凹凸部３４Ａの底部３５と、他の帯状基材３３Ｂにおける凹凸部３４Ｂの頂部３６とは、Ｙ方向に互いに当接され例えば接着剤により結合されている。このように、帯状基材３３を複数積層し、これらを互いに結合することで形成されている。
【００２３】
開口３１の大きさは、支持体３の形状を維持できる範囲で特に限定されないが、開口３１を大きくすると、より少ない材料で支持体３を構成することができるが、耐久性が低下する。一方、開口３１を小さくすると、耐久性が向上する一方で必要な帯状基材３３の量が増える。このため、支持体３の厚さ（天井板１の厚さ）、帯状基材３３の材料等によって適宜変更される。
【００２４】
上記の支持体３を構成する材料は特に限定されず、例えば、不燃性紙、ＰＥ（ポリエチレン）、ＰＰ（ポリプロピレン）、ＰＥＴ（ポリエチレンテレフタレート）等の樹脂シート、無機充填材混入樹脂シート、和紙、洋紙、アルミ箔等を用いることができる。また、天井板１の不燃性を維持するためには、支持体３も不燃性を有した材料から構成されることが好ましい。また、軽量化の観点から、３００ｇ／ｍ２以下のシートを用いることが好ましい。また、後述の面材５と同様に、含水無機化合物、粘土、有機繊維、及び無機繊維を含有している不燃性シートを用いることは、軽量化を促進するだけでなく、天井板１全体としての不燃性を向上させる観点からも好ましい。以下の実施形態では、支持体３と面材５とが同一の材料、すなわち不燃性紙から構成される場合について説明する。
【００２５】
面材５は、不燃性を有するシート状の不燃性シートを用いて製造されるが、特に、無機繊維を用いた不燃紙が好適に用いられる。ここで、無機繊維を用いた不燃紙とは、無機繊維を含有する成形体をいう。また、無機繊維を用いた不燃紙は、含水無機化合物、粘土、有機繊維及び無機繊維を含有することができる。また、面材５は、不燃性を有していることが必要であり、具体的には、１つの天井板に含まれる各材料の有機分の総重量が２５０ｇ／ｍ２以下である。
【００２６】
面材５には、上記材料のほかにも、混和材（例えば叩解パルプ）、補強材（例えば、カーボンファイバー）、粘土（例えば、ベントナイト、アタパルジャイト）、顔料（例えば、タルク、カオリン）、撥水剤（石油樹脂系撥水剤、シリコン系撥水剤）、及び、接着剤（例えば、澱粉、ポリビニルアルコール系合成樹脂、アクリル系合成樹脂、シリカ系無機接着剤）等が含まれていてもよい。
【００２７】
面材５を構成する材料のうち、無機繊維としては、ガラス繊維、ロックウ−ル繊維、セラミック繊維及び炭素繊維が挙げられ、これらのうち少なくとも一種類が使用される。これらのうち、ガラス繊維が、繊維強度が高く未繊維化物も少ないため、シート生産性，紙力強度の観点から好ましい。
【００２８】
また、含水無機化合物としては、水酸化アルミニウム、水酸化マグネシウム、水酸化カルシウム、チタン酸カリウム、二水石膏等が挙げられる。水素無機化合物を含有することで、シートの不燃性が高められる。不燃性の向上という観点では、特に水酸化アルミニウムを用いることが好ましい。
【００２９】
有機繊維としては、セルロース繊維、合成樹脂繊維などがある。セルロース繊維としては、針葉樹系あるいは広葉樹系の化学パルプ、機械パルプ、セミケミカルパルプ等の木材パルプあるいは木綿パルプ、麻パルプ、各種古紙等が挙げられる。また、合成樹脂繊維としては、ＰＥ繊維、ＰＰ繊維、ＰＥＴ繊維等が挙げられる。さらに、ＰＥ、ＰＰ、ＰＥＴ等の樹脂を２種類以上組み合わせたバインダー繊維などがある。有機繊維は、シートの成形性等を考慮して、複数種類を組み合わせて使用することができる。
【００３０】
無機繊維及び有機繊維の総量は、シートの生産性の観点から面材５の総重量に対して１０重量％以上であることが好ましく、シートの保形性の観点から３０重量％以上であることがより好ましい。
【００３１】
本実施形態に係る天井板１で用いられる面材５が上記の不燃紙により構成される場合、例えば、厚さが０．１ｍｍ以上であり、単位面積当たりの重量が１０ｇ/ｍ２であるものを用いることができる。さらに、取り扱い性、２次加工適性の観点から、厚さが０．３ｍｍ〜２．０ｍｍであり、単位面積当たりの重量が１００ｇ/ｍ２〜３００ｇ/ｍ２以上であるものが好適に用いられる。
【００３２】
上記の面材５は、例えば、原料を分散混合した後、抄紙機にて抄紙し、圧搾、乾燥して得ることができるが、製造方法は特に限定されない。
【００３３】
面材５のうち、取り付け後に天井面となる面については、例えば、表面材を面材５の上面に取り付ける構成としてもよい。また、面材５の表面に、事前に絵柄や模様を印刷する構成としてもよい。
【００３４】
また、面材５が不燃紙からなる場合、その厚さ及び目付（充填量）を変更することで、面材５の機能を強化することができる。例えば、面材５が不燃紙からなる場合、目付を小さくして厚さを大きくすることで、吸音性を高めることができる。
【００３５】
上記の天井板１は、帯状基材３３を用いて、複数の開口３１がハニカム状に配列された支持体３を形成した後に、支持体３の表面及び裏面のそれぞれに対して面材５を貼付することで製造される。支持体３に対して面材５を貼付する場合には、例えば、ホットメルト系の接着剤が好適に用いられる。
【００３６】
次に、図２を参照しながら、支持体３の変形例について説明する。図１では、支持体３が所謂ハニカム状の開口を有している場合について説明したが、支持体３に設けられる開口の形状は特に限定されない。例えば、支持体３を構成する材料が剛性を有している場合には、支持体３の開口を大きくしたとしても支持体３の形状を維持することができるので、開口を大きくすることができる。このような例として、図２に示す天井板１Ａでは、支持体３Ａは、天井板１Ａの外形に沿った矩形状の枠材３７と、枠材３７で囲われた領域を複数（図２では８つ）の領域に区画する仕切材３８とにより構成されている。これにより、支持体３Ａの内部には、それぞれが厚さ方向（Ｚ方向）に貫通する開口３９が設けられている。このように、天井板の支持体に設けられる開口の形状は特に限定されない。
【００３７】
このように、本実施形態に係る天井板１は、厚さ方向に貫通する開口３１を複数有する支持体３と、不燃性シートからなる面材５とを含んでいることで、面材５が不燃性を有することで防火性を有すると共に、例えば開口３１の大きさをより大きくすることで支持体３を軽量化することができ、軽量であって防火性を有する天井板を得ることができる。
【００３８】
また、上記実施形態に係る天井板１では、面材５を構成する不燃性シートが不燃紙であることにより、従来の面材と比較して、面材５の軽量化が図られる。さらに不燃紙を用いることで、面材の加工が容易となり、例えば意匠性の高い天井板を得ることができる。具体的には、例えば、面材５のうち施工後に天井面側となる面について、印刷によって模様等を描写することもできる。このように、本実施形態に係る天井板１は、意匠性を高めることが容易である。
【００３９】
また、天井板１では、支持体３がハニカム状に配置された開口３１を備える形状であることで、支持体３を構成する材料の剛性が低くても支持体としての形状を適切に維持することができ、天井板１としての耐久性を高めることができる。
【００４０】
そして、天井板１のように、支持体３が面材５と同一の材料により構成されている場合、すなわち、支持体３も不燃紙により構成されている場合、支持体３の軽量化をより一層図ることができ、天井板１としての軽量化を一層促進することができる。このような構成とした場合、支持体がグラスウールやロックウールにより構成される従来の天井板と比較しても十分な軽量化がなされ、具体的には天井板１の重量を１ｋｇ／ｍ２以下とすることも可能となる。
【００４１】
次に、図３を参照しながら、上記の天井板１（及び天井板１Ａ）が適用されるシステム天井について説明する。
【００４２】
図３に示すシステム天井１００は、所謂グリッドシステム天井であり、離間して並設されることで格子状に組まれた天井枠材２と、天井枠材２によって組まれた格子の開口部を閉じるように一対の天井枠材２間に架設された天井板１と、この天井板１が架設された天井枠材２を天井スラブから吊り下げる吊持手段を構成する吊りボルト４１，４５、調節ハンガー４２、野縁受け４３、及びチャンネルクリップ４４と、天井枠材２の長手方向における端部に取り付けられたシステム天井用クリップ５１と、を含んで構成される。また、システム天井１００の長手方向の端部は、見切り材６２が取り付けられた壁部材６１と対向するように配置されている。
【００４３】
また、システム天井１００は、所謂底目地タイプの天井である。システム天井１００に用いられる天井枠材２（２Ａ，２Ｂ）は、グリッドバーと呼ばれ、断面が略逆Ｔ字状であり、室内側（下方側）に開口を有するボックス状のフランジ部を備えた鋼やアルミニウム合金等からなる部材である。この天井枠材２は、部材の長手方向に沿って直立するウェブ２２と、ウェブ２２の下縁から両側に張り出すと共に室内側に開口が形成されるようにそれぞれ断面略コの字状に折り曲げられたフランジ部２１と、ウェブ２２の上縁に形成され、ウェブ２２の上縁から両側に張り出した断面略矩形の頭部２３と、を備えて構成される。この天井枠材２の大きさは、例えば、短手方向（天井枠材２の高さ方向）の幅が４８ｍｍ、フランジ部２１の水平方向の幅が１５ｍｍである。また、天井枠材２の長手方向の長さは、天井の大きさに応じて適宜変更される。
【００４４】
そして、複数本の天井枠材２Ａが壁部材６１と直交するように配置され、この天井枠材２Ａに対して直交するように複数本の天井枠材２Ｂが配置されることによって、例えば一辺が６００ｍｍの略正方形の開口部が構成され、この開口部に天井板１が架設される。
【００４５】
ここで、上述したように本実施形態に係る天井板１については、従来の天井板１よりも軽量化が図られているため、落下時に下方への影響は軽減されるものの、天井枠材２により形成された開口部に天井板１を架設しただけでは固定が十分になされず、天井板１の下方の空気の流れによって天井板１が上部へ移動する可能性がある。
【００４６】
これに対して、図３に示すように、天井枠材２Ａの頭部２３から開口部の内側方面に突出するフランジ部２６を設けることで、天井板１の上方への移動を抑制する構成とすることができる。フランジ部２６の形状は適宜変更することができる。例えば、フランジ部２６は取り外し可能な構成として、天井板１を架説した後に頭部２３に対してフランジ部２６を取り付ける構成とすることもできる。
【００４７】
以上のように、本発明に係るシステム天井によれば、面材５が不燃性を有することで防火性を有すると共に、例えば支持体３における開口３１の大きさをより大きくすることで支持体３が軽量化された天井板１をシステム天井１００に適用することができる。これにより、仮に何らかの振動によってシステム天井１００に架設された天井板１が落下したとしても、下方への影響を少なくすることができる。
【００４８】
以上、本発明の好適な実施形態について説明したが、本発明は上記実施形態に限定されるものではなく、種々の変更を行うことができる。例えば、上記実施形態では、システム天井１００として、ボックス状のフランジ部を備える天井枠材２を用いた所謂底目地タイプのシステム天井について説明したが、断面が逆Ｔ字状であると共に室内側（下方側）のフランジ部が折り曲げられておらず平坦である所謂フラットＴバーの天井枠材を用いることもできる。また、本発明に係る天井板が適用されるシステム天井１００は、上記実施形態で説明したグリッドシステム天井に限定されず、所謂ラインシステム天井にも適用することができる。
【００４９】
さらに、本発明に係る天井板１は、上記のシステム天井に限定されず、例えば、従来天井（直貼りタイプ及び捨て貼りタイプ）にも適用することができる。この場合、例えば、天井板１の大きさを１．５尺×３尺、３尺×３尺、３尺×６尺、４尺×８尺とすることで、既設の天井板の代替として本実施形態に係る天井板を適用することが容易となる。また、本実施形態に係る天井板は、従来天井の下地材として適用することができ、さらに、垂直面の建築基材としても適用することができる。
【符号の説明】
【００５０】
１…天井板、２（２Ａ，２Ｂ）…天井枠材、３…支持体、５…面材、１００…システム天井。
【図１】
2015048591.tif 000003
【図２】
2015048591.tif 000004
【図３】
2015048591.tif 000005